(57)【要約】【課題】所要構成空間がより少ない切換及び保護装置を提供する。【解決手段】本発明は、直流電圧スイッチとヒューズ（１２）とを有する、高電圧搭載電源用の切換及び保護装置（１）に関する。直流電圧スイッチは、ケーシング（２）と、少なくとも２つの固定コンタクト（３）と、固定コンタクト（３）に対して可動に形成されているブリッジ（５）と、を有している。ブリッジ（５）は、電気的な絶縁体から形成されている。ブリッジ（５）には、２つのコンタクト（８）が配置されており、これらのコンタクト（８）は、ブリッジ（５）が固定コンタクト（３）に向かって移動すると当該コンタクト（８）が固定コンタクト（３）に接触接続するように、ブリッジ（５）に配置されている。ブリッジ（５）に配置された２つのコンタクト（８）は、ヒューズ（１２）によって互いに電気的に接続されている。【選択図】図１
2016134383.tif 000002
【特許請求の範囲】
【請求項１】
直流電圧スイッチとヒューズ（１２）とを有する、高電圧搭載電源用の切換及び保護装置（１）であって、前記直流電圧スイッチは、ケーシング（２）と、少なくとも２つの固定コンタクト（３）と、前記固定コンタクト（３）に対して可動に形成されているブリッジ（５）と、を有しており、
前記ブリッジ（５）は、電気的な絶縁体から形成されており、前記ブリッジ（５）には、２つのコンタクト（８）が配置されており、これらのコンタクト（８）は、前記ブリッジ（５）が前記固定コンタクト（３）に向かって移動すると当該コンタクト（８）が前記固定コンタクト（３）に接触接続するように、前記ブリッジ（５）に配置されており、前記ブリッジ（５）に配置された前記２つのコンタクト（８）は、前記ヒューズ（１２）によって互いに電気的に接続されていることを特徴とする、高電圧搭載電源用の切換及び保護装置。
【請求項２】
前記ヒューズ（１２）は、前記ブリッジ（５）の上側で前記２つのコンタクト（８）の間に配置された線材（１１）として形成されている、請求項１記載の切換及び保護装置。
【請求項３】
前記ヒューズ（１２）は、部分的又は完全に、前記ブリッジ（５）に埋め込まれている、請求項１記載の切換及び保護装置。
【請求項４】
前記ブリッジ（５）は、前記ヒューズ（１２）の溶断温度において激しくガスを放出する材料から成っている、請求項１から３までのいずれか１項記載の切換及び保護装置。
【請求項５】
前記ブリッジ（５）は、プレキシグラス又はポリオキシメチレンから成っている、請求項４記載の切換及び保護装置。
【請求項６】
前記ブリッジ（５）は、セラミックから成っている、請求項１から４までのいずれか１項記載の切換及び保護装置。
【請求項７】
前記固定コンタクト（３）に対してそれぞれ平行に、導電性のガイドレール（１３）が配置されており、これらのガイドレール（１３）間には絶縁体（１４）が配置されており、該絶縁体（１４）は、前記ガイドレール（１３）に面した側に、それぞれギャップを有している、請求項１から５までのいずれか１項記載の切換及び保護装置。
【請求項８】
前記ブリッジ（５）にはガイド構造体（１５）が配置されており、これらのガイド構造体（１５）は、アークを前記ガイドレール（１３）と前記絶縁体（１４）との間へ導くように形成されている、請求項７記載の切換及び保護装置。
【請求項９】
前記ブリッジ（５）の上側に消弧金属薄板が配置されている、請求項１から５までのいずれか１項記載の切換及び保護装置。
【請求項１０】
前記絶縁体は、前記ヒューズ（１２）の溶断時に、前記コンタクト（８）間で移動するように配置されている、請求項１から５までのいずれか１項記載の切換及び保護装置。
【発明の詳細な説明】
【技術分野】
【０００１】
本発明は、高電圧搭載電源用、特に自動車に設けられた高電圧搭載電源用の切換及び保護装置に関する。
【背景技術】
【０００２】
高電圧搭載電源用の切換及び保護装置は、高電圧搭載電源の定格電流並びに場合によっては一時的な過電流を通すために役立つ。切換装置を介して、高電圧搭載電源はあらゆる遮断過程において、好適には全ての電極を切り離される。これに対して保護装置は、過電流を上回る漏電において、高電圧バッテリーを切り離すために役立つ。この場合、保護装置は一般に、ヒューズとして形成されている。切換装置は、好適にはリレーの形態の直流電圧スイッチとして形成されている。全ての電極が切り離される場合には、１つの切換装置がリレーとして形成されており、且つ１つの切換装置が出力半導体として形成されている構成も可能である。
【０００３】
一般に使用されるヒューズは、内部で所定の狭小箇所を備えた複数の溶融導体が並列接続されているセラミック又はプラスチックケーシングを有する、密封されたヒューズである。好適には、ケーシングは付加的に、例えば砂等の消弧媒体で満たされている。
【０００４】
これにより、ヒューズの無視し得ない構成空間に加え、特に自動車用の高電圧搭載電源における要求には、トリガ特性に関して高い要求が課せられることになる。つまり、例えば許容可能な過電流は比較的高くてよい。更に、並列接続により、製造に起因する構成部材の製作誤差が考慮されるので、このことが、達成すべき遮断時間を増大させている。
【０００５】
独国実用新案第２０２０１２０１３１０７号明細書から、電気的な据付切換装置用の消弧装置が公知であり、この場合、この公知の据付切換装置は、固定コンタクト片と可動コンタクト片とから形成されたコンタクト箇所を有している。この場合、消弧装置には、複数の消弧金属薄板を有する消弧積層体が含まれる。
【先行技術文献】
【特許文献】
【０００６】
【特許文献１】独国実用新案第２０２０１２０１３１０７号明細書
【発明の概要】
【発明が解決しようとする課題】
【０００７】
本発明の根底を成す技術的課題は、所要構成空間がより少ない切換及び保護装置を提供することにある。
【課題を解決するための手段】
【０００８】
この技術的課題は、請求項１記載の特徴を有する切換及び保護装置によって解決される。本発明の別の有利な構成は、従属請求項に記載されている。
【０００９】
これに関して、高電圧搭載電源用の切換及び保護装置は、直流電圧スイッチとヒューズとを有している。直流電圧スイッチは、ケーシングと、少なくとも２つの固定コンタクトと、ブリッジとを有しており、この場合、ブリッジは、固定コンタクトに対して可動に形成されており、しかもブリッジは、例えばリンク装置を介してばねに抗して移動させられるようになっている。この場合、ケーシングは、好適には密閉されて、即ち気密に形成されている。ブリッジは、電気的な絶縁体から形成されており、この場合、ブリッジには２つのコンタクトが配置されており、これらのコンタクトは、ブリッジが固定コンタクトに向かって移動すると当該コンタクトが固定コンタクトに接触接続するように、ブリッジに配置されており、この場合、ブリッジに設けられた両コンタクトは、ヒューズによって互いに接続されている。この構成により、ヒューズが切換装置内に組み込まれることから、切換装置の構成空間は僅かに増大するが、密閉ケーシングを備える外部ヒューズを省いたことにより、全体としては構成空間が減少することになる。別の利点は、組み込まれたヒューズのトリガ特性が、より正確に調整され得るという点であり、その結果、減少された遮断時間をも達成することができる。好適には、コンタクトはブリッジにねじ締結されているか、注型又は射出成形されている。
【００１０】
１つの構成では、ヒューズは、ブリッジの上側で各コンタクト間に配置された線材として形成されている。例えば、線材は銅製である。漏電中に線材が熱により過剰に負荷をかけられると、線材は爆発的に蒸発する。このときに発生する圧力波と、線材若しくは発生した切換アークの導電率の変化とが、爆発過程に基づきアーク電圧の飛躍的な上昇若しくは点火ピークをもたらす。アーク電圧の飛躍的な上昇若しくは点火ピークが、駆動電圧を上回ると、このことは、オーム負荷又はオーム誘導負荷が加えられた場合に、切換アークの消失を招く。
【００１１】
代替的に、ヒューズはブリッジ上に、一連の導体路として形成されていてもよい。
【００１２】
別の代替的な構成では、ヒューズは部分的又は完全に、ブリッジに埋め込まれている。この場合、完全に埋め込まれているとは、ヒューズがブリッジの絶縁材によって完全に包囲されている（コンタクトに対する接触接続箇所は除く）ことを意味する。この場合、ブリッジの絶縁材中への埋め込みは、更にコンパクトな構成形式を可能にする。この場合、切換アークの消失を保証するために、種々様々な補足手段が可能である。
【００１３】
１つの構成では、ブリッジは、好適にはプレキシグラス又はポリオキシメチレン等の、ヒューズの溶断温度において激しくガスを放出する材料から成っている。このことは、ガス生成に基づく激しい圧力上昇、並びに切換装置内での化学的な分解過程に基づく同時冷却を生ぜしめ、これにより消失過程が生ぜしめられる。
【００１４】
代替的に、ブリッジは、セラミックから成っていてもよいし、又はより一般的に、耐火性で電気的に絶縁性の熱伝導材料から成っていてもよい。この場合の基本思想は、アークを消失させるために、ブリッジの材料の熱伝導を介してアークから熱エネルギを除去することにある。
【００１５】
ヒューズが部分的にのみ埋め込まれている場合に好適に用いられる別の構成では、各固定コンタクトに対してそれぞれ平行に、導電性のガイドレールが配置されており、これらのガイドレール間には絶縁体が配置されており、絶縁体は、ガイドレールに面した側に、それぞれギャップを有している。この場合の基本原理は、激しくガスを放出する材料と同じである。ガイドレールにより、アークは狭いギャップ内に押し込まれ、ギャップに沿って延び、且つ絶縁体を局所的に強力に加熱する。これによりガスが放出され、このときに上昇する圧力が、アークの消失を招く。
【００１６】
この場合、ブリッジにはガイド構造体、好適には楔形の構造体が配置されていてよく、これらのガイド構造体は、消失を加速させるために、アークをガイドレールと絶縁体との間へ導くように形成されている。
【００１７】
代替的な構成では、ブリッジの上側に複数の消弧金属薄板が配置されており、これらの消弧金属薄板は、好適には平行に配置されている。消弧金属薄板は、更に好適には黄銅又は鉄から成っており、この場合には磁気的な消弧金属薄板積層体を形成している。これらの消弧金属薄板積層体は、磁化に基づき金属薄板間のアークを吸引し、これにより複数のアークが直列接続され、次いで全体としてより高くなったアーク火花電圧に基づき、遮断されるべき電流を強制的にゼロにする。この場合、比較的低温の消弧金属薄板が、アークから付加的に熱エネルギを除去し、これにより、アークの抵抗増大が生ぜしめられる。このことは、アークの迅速な消失につながる。
【００１８】
別の代替的な構成では、アークを中断するために、絶縁体が、ヒューズの溶断時にコンタクト間で移動するように配置されている。この場合、絶縁体は、好適には楔形に形成されている。この場合、絶縁体の移動は、例えばパイロテクニクスによる推進装薬を用いてトリガされてよい。代替的に、ヒューズの溶断時に弛緩する、予荷重をかけられたばねを使用することもできる。
【００１９】
以下、本発明を実施するための形態を図面に照らして詳しく説明する。
【図面の簡単な説明】
【００２０】
【図１】第１の実施形態における切換及び保護装置の概略断面図である。
【図２】第２の実施形態における切換及び保護装置の概略断面図である。
【図３】第３の実施形態における切換及び保護装置の概略断面図である。
【発明を実施するための形態】
【００２１】
図１には、第１の実施形態における切換及び保護装置１が示されている。切換及び保護装置１は密閉ケーシング２を有しており、密閉ケーシング２からは、２つの固定コンタクト３が導出されている。固定コンタクト３には高電圧導線４が接続可能であり、高電圧導線４は、例えば切換及び保護装置１を、高電圧バッテリー（図示せず）と中間回路とに接続している。切換及び保護装置１は更に、電気的な絶縁体から成るブリッジ５を有している。ブリッジ５はリンク装置６と結合されており、リンク装置６は、ケーシング２から下方に向かって案内されている。この場合、リンク装置６は磁力により、ばね又は類似のアクチュエータに抗して上方に向かって移動可能である。ブリッジ５は、２つのコンタクトエレメント７に接続されている。コンタクトエレメント７はそれぞれ、コンタクト８と中空円筒９とを有しており、コンタクト８と中空円筒９とは、ベース部材１０により互いに接続されている。中空円筒９の間には、線材１１の形態のヒューズ１２が導電式に配置されている。線材１１と中空円筒９との間の接続は、例えば緊締接続又はねじ接続であってよい。別の取付け方式も可能であるが、この場合、取付け部は熱的に安定的でなければならない。コンタクトエレメント７は、中空円筒９を介してブリッジ５にねじ締結される。コンタクトエレメント７とブリッジ５との間の接続も、代替的な取付け法により行われてよい。この場合には、中空円筒９が線材１１を取り付けるための別の部材と交換されてもよい。中空円筒９とベース部材１０とは、好適には一体である。コンタクト８は、図示の実施形態では別個の構成部材としてベース部材１０に挿入されているが、ベース部材１０と一体的に形成されていてもよい。この場合、コンタクト８は、固定コンタクト３の形状及び位置に合わされている。
【００２２】
線材１１は、定格電流と、運転に起因する過電流との両方を通すことができるように寸法決めされている一方で、過電流を超過して所定の限界値を上回る漏電が生じた場合には、爆発的に蒸発する。この場合、線材１１のトリガ特性は、従来技術に比べて極めて良好に調整され得るので、トリガをより迅速且つ確実に行うことができる。通常運転では、例えばリンク装置６に対応配置されたコイル（図示せず）が給電され、リンク装置６は磁力に基づき、ばね力に抗して上方に向かって移動させられる。次いでコンタクト８が固定コンタクト３に接触すると、各固定コンタクト３の間に電気的な接続が生ぜしめられる。次いで漏電が発生すると、線材１１が蒸発し、このとき生じるアークは、爆発的な蒸発に基づく圧力上昇により消失させられる。この場合、更なるアークを形成しないようにするために、コンタクト８と固定コンタクト３とは、好適には接触状態を保ち続ける。
【００２３】
図２には、切換及び保護装置１の代替的な実施形態が示されており、この場合、同一部材には同一符号が付されている。指摘しておくと、この断面図は図１と比較して配置が異なっている。
【００２４】
コンタクトエレメント７は、やはりコンタクト８とベース部材１０とを有しており、コンタクト８とベース部材１０とは、例えば互いにリベット留め又はろう接されており、このことは破線で示されている。代替的に、コンタクト８とベース部材１０とが一体的に形成されていてもよいし、又はコンタクト８がベース部材１０に差し込まれていてもよい。ベース部材１０はブリッジ５に好適にはねじ締結されており、このこともやはり破線で示されている。２つのベース部材１０の間にはヒューズ１２が位置しており、ヒューズ１２は部分的にブリッジ５に埋め込まれている（やはり破線で図示）。ヒューズ１２とベース部材１０との間の接続は、例えば差込接続である。ブリッジ５は、例えばプレキシグラス又はＰＯＭ（ポリオキシメチレン）等の、好適には激しくガスを放出する材料から成っている。
【００２５】
漏電した場合にはヒューズ１２が溶断し、このとき発生する熱に基づき、付加的にブリッジ５がガスを放出する。このことは密閉ケーシング２内の圧力上昇を招き、その結果、各ベース部材１０間に生じるアークが消失させられる。
【００２６】
図３には、切換及び保護装置１の別の代替的な実施形態が示されており、この場合もやはり、同一部材には同一符号が付されている。この場合、切換装置１は閉じられた状態、即ち、コンタクト８が固定コンタクト３に接触接続している状態で示されている。図２に対して付加的に、切換及び保護装置１は２つのガイドレール１３を有しており、これらのガイドレール１３はそれぞれ、固定コンタクト３に対して平行に延在しており且つ固定コンタクト３にねじ締結されている。
【００２７】
各ガイドレール１３の間には絶縁体１４が配置されており、絶縁体１４は、ガイドレール１３に向かい合う各側に、それぞれギャップを有している。この場合、ギャップはガイドレール１３に対して平行に延在している。この場合、絶縁体１４は、プレキシグラス又はＰＯＭ等の、激しくガスを放出する材料から成っている。この場合、絶縁体１４は、例えばケーシング２にねじ締結されている。ベース部材１０には更に２つのガイド構造体１５が配置されており、これらのガイド構造体１５の間にヒューズ１２が延在している。ガイド構造体１５は楔形に形成されており、例えばベース部材１０にねじ締結されている。
これにより、ヒューズ１２の溶断時に発生するアークが、ガイド構造体１５を介して、ギャップを有するガイドレール１３と絶縁体１４との間の通路１６内へガイドされるようになっている。狭いギャップ内に延びるアークにより加熱された絶縁体１４は、次いでガスを放出し始める。これにより発生した圧力上昇により、アークは消失させられる。
【符号の説明】
【００２８】
１  切換及び保護装置、  ２  密閉ケーシング、  ３  固定コンタクト、  ４  高電圧導線、  ５  ブリッジ、  ６  リンク装置、  ７  コンタクトエレメント、  ８  コンタクト、  ９  中空円筒、  １０  ベース部材、  １１  線材、  １２  ヒューズ、  １３  ガイドレール、  １４  絶縁体、  １５  ガイド構造体、  １６  通路
【図１】
2016134383.tif 000003
【図２】
2016134383.tif 000004
【図３】
2016134383.tif 000005